(57)【特許請求の範囲】
【請求項１】
後面に開口する開口部から前方に向かって挿入される適合メモリーカードを収容するカード収容部が形成されたケースと、
カード収容部内の前方に突出するように互いに絶縁してケースに取り付けられ、カード収容部に収容された適合メモリーカードに接続する複数のコンタクト片と、
ケースに枢支され、複数のコンタクト片の後方のカード収容部内で、適合メモリーカードの前方への挿入を遮断する遮断位置と、適合メモリーカードの前方への挿入を可能とする開放位置との間で回動するシャッターと、
遮断位置でシャッターの回動をロックするロック機構とを備え、
ロック機構は、シャッターの開口部寄りで、シャッターの回動軸と平行なカード収容部の内底面若しくは内頂面から前方に向かって対向する内頂面若しくは内底面に傾斜する傾斜面を有する２枚の板バネ片と、
各板バネ片の前記傾斜面の前方に形成される第１係合部と、
各板バネ片の第１係合部の移動軌跡上のシャッターの部位に形成され、シャッターが遮断位置にあるときに、自由状態の各板バネ片の第１係合部と係合し、シャッターの回動が規制される第２係合部とから構成され、
２枚の板バネ片の傾斜面は、適合メモリーカードがカード収容部に挿入された場合に、２枚の各板バネ片の第１係合部と第２係合部との係合が解除され、適合メモリーカードより横幅が狭い不適合メモリーカードが挿入された場合に、少なくとも一方の板バネ片の第１係合部と第２係合部との係合が解除されない間隔でカード収容部内に臨み、
第２係合部のカード収容部内の高さは、適合メモリーカードがカード収容部に挿入された場合に、第１係合部との係合が解除され、適合メモリーカードの厚みより薄い不適合メモリーカードが挿入された場合に、第１係合部との係合が解除されない高さであるメモリーカード用コネクタであって、
前記ケースは、絶縁ケース本体と、絶縁ケース本体の上面を覆い、絶縁ケース本体との間に前記カード収容部が形成される導電性金属板からなるカバーで構成され、
前記２枚の板バネ片は、前記カバーの一部が切り欠かれ、切り欠かれた内側が前記カード収容部の内頂面から下方に傾斜して傾斜面が形成され、
前記２枚の各板バネ片は、第１係合部が形成される前端部から斜め後方に向かって左右に逆Ｖ字状に分岐する二股の分岐片を有し、二股の各分岐片の下面が前記傾斜面となっていることを特徴とするメモリーカード用コネクタ。
【請求項２】
逆Ｖ字状に分岐する二股の一方の分岐片を、斜め前方に向かって左右にＶ字状に分岐する二股の一方の分岐片として、逆Ｖ字状に分岐する二股の分岐片にＶ字状に分岐する二股の他方の分岐片を連設し、該連設した分岐片の前端部に、逆Ｖ字状の前端部に形成される第１係合部と異なる第１係合部を形成することを特徴とする請求項１に記載のメモリーカード用コネクタ。
【発明の詳細な説明】
【技術分野】
【０００１】
本発明は、メモリーカードが挿入されていない間にカード収容部の開口を覆うシャッターを備えたメモリーカード用コネクタに関し、更に詳しくは、不適合なメモリーカードのカード収容部への挿入をシャッターにより規制するメモリーカード用コネクタに関する。
【背景技術】
【０００２】
従来のメモリーカード用コネクタには、メモリーカードを挿入するカード収容部の開口近傍にシャッターが取り付けられ、メモリーカードが挿入されていない間は、シャッターでその開口近傍を遮断し、外部からカード収容部内への塵埃の侵入を防止している。このシャッターは、メモリーカードをカード収容部内に挿入される際の障害とならないように、カード収容部を挟む両側のケースに回動自在に支持されている。
【０００３】
一方、このシャッターの回動をロックするロック機構を設けて、大きさや挿入方向の異なる適合外のメモリーカードの挿入をシャッターで排除するメモリーカード用コネクタ１００が知られている（特許文献１）。以下、この従来のメモリーカード用コネクタ１００を図１４乃至図１６を用いて説明する。
【０００４】
メモリーカード用コネクタ１００は、図１６に示す大型のＳＤカード等のメモリーカードを適合メモリーカード１０としてカード収容部１０１内に収容し、適合メモリーカード１０の背面に露出する導電パッド１２、１２・・へカード収容部１０１に突出するコンタクト１０２、１０２・・を接続させるコネクタである。適合メモリーカード１０の挿入方向の前方右側（図１６では前方左側）には、コネクタ側で適合メモリーカード１０の挿入を判別するための傾斜面１０ａが形成されている。従って、傾斜面１０ａが形成される部位の導電パッド１２ａは、他の導電パッド１２よりやや後方（図１６において下方）に露出し、その導電パッド１２ａと電気接続するコンタクト１０２ａは、カード収容部１０１の後方（図１４において右方）に突出して配置されている。
【０００５】
カード収容部１０１の開口側となる後方に、シャッター１０３が掛け渡されている。シャッター１０３は、カード収容部１０１と直交する方向に配置される細長板状の連結部１０３ａと、連結部１０３ａの両側に形成された矩形状の係合部１０３ｂと、係合部１０３ｂの下方で連結部１０３ａの両側にクランク状に連設された円柱状の軸部１０３ｃとから構成されている。円柱状の軸部１０３ｃは、カード収容部１０１を形成するケースの側壁１０４に回転自在に支持され、軸部１０３ｃに巻装されたねじりコイルバネ（図示せず）により、シャッター１０３は、軸部１０３ｃ回りで一方向に回転するように付勢されている。
【０００６】
また、カード収容部１０１の後方の両側壁１０４、１０４に沿って、一対のロックバネ片１０５が配置されてる。ロックバネ片１０５は、前端が側壁１０４に固定され、自由状態で、後方の内向きに湾曲する検知部１０５ａがカード収容部１０１の開口近傍に突出している。シャッター１０３の係合部１０３ｂと対向するロックバネ片１０５の部位には、長方形の係合孔１０５ｂが穿設され、検知部１０５ａがカード収容部１０１内に突出する状態で、図１５に示すように、矩形状の係合部１０３ｂが長方形の係合孔１０５ｂに挿通し、連結部１０３ａがカード収容部１０１を遮断しているシャッター１０３の軸部１０３ａ回りの回転をロックしている。
【０００７】
一方、ロックバネ片１０５は、検知部１０５ａがカード収容部１０１へ挿入するメモリーカードにより押圧されると前端を中心に外側に回転し、検知部１０５ａがカード収容部１０１から退避したときに、係合孔１０５ｂがシャッター１０３の係合部１０３ａから外れる。カード収容部１０１の横幅は、適合メモリーカード１０を遊嵌する横幅となっているので、カード収容部１０１へ適合メモリーカード１０を前方に挿入すると、左右両側のロックバネ片１０５が外側に回転し、各係合孔１０５ｂとシャッター１０３の係合部１０３ａとの係合が外れる。これにより、シャッター１０３は軸部１０３ａ回りで回転自在となり、適合メモリーカード１０をコンタクト１０２、１０２・・と接続する接続位置まで挿入可能となる。
【０００８】
これに対して、カード収容部１０１に挿入可能な大きさであるが、適合メモリーカード１０より小型で横幅が短い不適合メモリーカード１０’をカード収容部１０１へ挿入しようとすると、左右一対のロックバネ片１０５の検知部１０５ａを同時に押圧して外側へ回転させることができないので、少なくとも一方の係合孔１０５ｂと係合部１０３ｂとの係合は外れず、シャッター１０３は、連結部１０３ａがカード収容部１０１を遮断したまま回転が規制される。これにより、不適合メモリーカード１０’の挿入が排除される。
【特許文献１】特開２００７−１６５０１１号公報
【発明の概要】
【発明が解決しようとする課題】
【０００９】
上述のメモリーカード用コネクタ１００は、挿入されるメモリーカードの横幅から適合メモリーカード１０を判別するので、カード収容部１０１の側方にシャッター１０３の回転をロックするロックバネ片１０５の検知部１０５ａを配置する必要があり、ケース１０４が大型化し、鉛直方向（図１４の紙面に直交方向）にプリント配線基板へ実装する実装面積が拡大し、高密度実装の障害となっていた。
【００１０】
また、シャッター１０３の回転をロックするために、ロックバネ片１０５を別に用意してケース１０４に組み付ける必要があり、部品点数が増加するとともに余分な組み立て工程も加わるものとなった。
【００１１】
更に、図１６に示すメモリーカードを適合メモリーカード１０とするメモリーカード用コネクタ１００では、挿入方向の前方右側に傾斜面１０ａが形成されているので、導電パッド１２を下面側とした適合メモリーカード１０を挿入した場合に、左側（図１４の下方側）の検知部１０５ａがカード収容部１０１から退避して係合孔１０５ｂと係合部１０３ｂとの係合が外れても、右側の検知部１０５ａは、適合メモリーカード１０の側面に当接せず、係合孔１０５ｂと係合部１０３ｂとの係合は解除されない。その結果、右側の検知部１０５ａが退避する前に、回転がロックされたシャッター１０３へ適合メモリーカード１０の前端が当接することとなり、右側の検知部１０５ａがカード収容部１０１から退避してシャッター１０３が回転自在の状態となってもシャッター１０３が回転しないといういわゆる「メモリーカードのくいつき」が発生する。そこで、傾斜面１０ａ側の側面で応動する検知部１０５ａが退避するまで、適合メモリーカード１０の前面がシャッター１０３に当接しないように、左側の検知部１０５ａとシャッター１０３との前後方向の間隔を図１６のＬ２以上とする必要があり、そのためにケース１０４の前後方向の大きさも拡大することとなった。
【００１２】
更に、前後方向の挿入方向に対して、適合メモリーカード１０を斜めに挿入した場合にも、一方の検知部１０５ａが押圧されずに、「メモリーカードのくいつき」が発生してシャッター１０３が回転せず、挿入できないという問題があった。
【００１３】
逆に、上述のメモリーカード用コネクタ１００は、挿入されるメモリーカードの横幅から適合メモリーカード１０を判別するので、適合メモリーカード１０より薄い不適合メモリーカード１０’が挿入されても、左右一対のロックバネ片１０５の検知部１０５ａが応動してシャッター１０３が回転自在となり、不適合メモリーカード１０’の挿入を排除できないという問題があった。
【００１４】
本発明は、このような従来の問題点を考慮してなされたものであり、ケースを大型化することなく、簡単な構成で確実に不適合メモリーカードの挿入を排除できるメモリーカード用コネクタを提供することを目的とする。
【００１５】
また、挿入するメモリーカードの横幅と厚さから不適合メモリーカードを判別してその挿入を排除できるメモリーカード用コネクタを提供することを目的とする。
【００１６】
更に、適合メモリーカードを挿入方向に対して傾斜させて挿入しても、シャッターが回転し、挿入可能となるメモリーカード用コネクタを提供することを目的とする。
【課題を解決するための手段】
【００１７】
上述の目的を達成するため、請求項１に記載の発明は、後面に開口する開口部から前方に向かって挿入される適合メモリーカードを収容するカード収容部が形成されたケースと、
カード収容部内の前方に突出するように互いに絶縁してケースに取り付けられ、カード収容部に収容された適合メモリーカードに接続する複数のコンタクト片と、
ケースに枢支され、複数のコンタクト片の後方のカード収容部内で、適合メモリーカードの前方への挿入を遮断する遮断位置と、適合メモリーカードの前方への挿入を可能とする開放位置との間で回動するシャッターと、
遮断位置でシャッターの回動をロックするロック機構とを備え、
ロック機構は、シャッターの開口部寄りで、シャッターの回動軸と平行なカード収容部の内底面若しくは内頂面から前方に向かって対向する内頂面若しくは内底面に傾斜する傾斜面を有する２枚の板バネ片と、
各板バネ片の前記傾斜面の前方に形成される第１係合部と、
各板バネ片の第１係合部の移動軌跡上のシャッターの部位に形成され、シャッターが遮断位置にあるときに、自由状態の各板バネ片の第１係合部と係合し、シャッターの回動が規制される第２係合部とから構成され、
２枚の板バネ片の傾斜面は、適合メモリーカードがカード収容部に挿入された場合に、２枚の各板バネ片の第１係合部と第２係合部との係合が解除され、適合メモリーカードより横幅が狭い不適合メモリーカードが挿入された場合に、少なくとも一方の板バネ片の第１係合部と第２係合部との係合が解除されない間隔でカード収容部内に臨み、
第２係合部のカード収容部内の高さは、適合メモリーカードがカード収容部に挿入された場合に、第１係合部との係合が解除され、適合メモリーカードの厚みより薄い不適合メモリーカードが挿入された場合に、第１係合部との係合が解除されない高さであるメモリーカード用コネクタであって、
前記ケースは、絶縁ケース本体と、絶縁ケース本体の上面を覆い、絶縁ケース本体との間に前記カード収容部が形成される導電性金属板からなるカバーで構成され、
前記２枚の板バネ片は、前記カバーの一部が切り欠かれ、切り欠かれた内側が前記カード収容部の内頂面から下方に傾斜して傾斜面が形成され、
前記２枚の各板バネ片は、第１係合部が形成される前端部から斜め後方に向かって左右に逆Ｖ字状に分岐する二股の分岐片を有し、二股の各分岐片の下面が前記傾斜面となっているメモリーカード用コネクタを最も主要な特徴とする。
【００１８】
シャッターが遮断位置にあるときに、板バネ片の第２係合部は、適合メモリーカードの挿入によって第１係合部との係合が解除されるカード収容部内の高さにあるので、適合メモリーカードをカード収容部の前方へ挿入すると、板バネ片の傾斜面に当接して第１係合部と第２係合部との係合が解かれる。また、２枚の板バネ片の傾斜面は、適合メモリーカードの挿入によって、いずれの板バネ片の第１係合部も第２係合部との係合が解かれる間隔でカード収容部に臨むので、全ての第１係合部と第２係合部の係合が解除され、シャッターが開放位置まで回転し、シャッターを越えて適合メモリーカードは前方へ挿入可能となる。
【００１９】
一方、適合メモリーカードより厚みが薄い不適合メモリーカードは、カード収容部へ挿入しても板バネ片の傾斜面に当接せず、若しくは当接しても第２係合部から第１係合部を解除させるほどの厚みがないので、シャッターは遮断位置でその回動が規制され、前方へ挿入できない。また、適合メモリーカードより横幅が狭い不適合メモリーカードは、カード収容部へ挿入しても２枚の板バネ片の傾斜面に同時に当接せず、一方の板バネ片の第１係合部が第２係合部に係合した状態となるので、シャッターは遮断位置でその回動が規制され、前方へ挿入できない。
【００２１】
導電性金属板からなるカバーの一部を切り欠いて、その内側を下方へ折り曲げて、カード収容部内に臨ませるだけで、内頂面から前方に向かって下方に傾斜する傾斜面を有する板バネ片が形成される。
【００２３】
板バネ片は、斜め後方に向かって左右二股に逆Ｖ字状に分岐する二股の分岐片を有し、二股の各分岐片の上面若しくは下面が前記傾斜面となっているので、前後方向の挿入方向に対して傾斜して適合メモリーカードが挿入されても、その挿入方向に近い二股のいずれかの傾斜面に沿って適合メモリーカードが当接し、その傾斜面の前端部に形成された第１係合部が第２係合部から離れる方向に移動して第２係合部との係合が解かれる。
【００２４】
また、請求項２に記載の発明は、逆Ｖ字状に分岐する二股の一方の分岐片を、斜め前方に向かって左右にＶ字状に分岐する二股の一方の分岐片として、逆Ｖ字状に分岐する二股の分岐片にＶ字状に分岐する二股の他方の分岐片を連設し、該連設した分岐片の前端部に、逆Ｖ字状の前端部に形成される第１係合部と異なる第１係合部を形成することを特徴とする。
【００２５】
板バネ片の逆Ｖ字状の前端部と、Ｖ字状に分岐する二股の他方の分岐片の前端部の２カ所にシャッターの第２係合部と係合する第１係合部が形成される。
【発明の効果】
【００２６】
請求項１の発明によれば、横幅の他、厚さが適合メモリーカードより薄い不適合メモリーカードのカード収容部内への挿入も、シャッターを遮断位置で回動をロックすることにより排除できる。
【００２７】
また、遮断位置にあるシャッターの回動をロックするロック機構をカード収容部の側方に形成せず、カード収容部の内底面若しくは内頂面側のケースに形成するので、ロック機構によってケースの鉛直方向の面積が拡大せず、プリント配線基板への実装面積が拡大しない。
【００２８】
挿入方向の前面に傾斜面を有するメモリーカードが適合メモリーカードであっても、２枚の板バネ片の各傾斜面は、適合メモリーカードの上面若しくは下面が当接して上下方向に退避するので、適合メモリーカードの両側面でロック機構の検知部が退避する従来のコネクタに比べて、各傾斜面間の前後方向の間隔を短くすることが可能となり、ケースの前後方向の大きさを縮小できる。
【００２９】
また、新たな部品を用いずに、ケースの上面を覆うカバーから傾斜面を有する板バネ片を形成することができる。
【００３０】
カバーは、導電性金属板で形成されるので、その一部を接地することにより、カード収容部内の適合メモリーカードやコンタクトを外部からシールドすることができ、また、金属板であるので、プレス成形により、板バネ片や板バネ片の第１係合部を容易に加工できる。
【００３１】
また、前後方向の挿入方向に対して傾斜して適合メモリーカードが挿入されても、その挿入方向に近い二股の分岐片のいずれかの傾斜面に沿って適合メモリーカードが当接して板バネ片の全体が応動するので、板バネ片に傾斜した方向から適合メモリーカードが当接することによるねじり応力が発生しにくい。特に、適合メモリーカードのカード収容部への挿抜力を低下させるために、２枚の板バネ片は厚みを薄くして板バネ片による接触圧を低下させるので、薄肉でねじれ強度が低下した板バネ片であっても、捻れ応力による塑性変形が生じない。
【００３２】
請求項２の発明によれば、一枚の板バネ片にシャッターの第２係合部と係合する第１係合部が２カ所に形成されるので、自由状態でシャッターの回動をロックするロック強度が増す。
【図面の簡単な説明】
【００３３】
【図１】本願発明の一実施の形態に係るメモリーカード用コネクタ１に適合メモリーカード１０を挿入する状態を斜め前方の上方からみた斜視図である。
【図２】ケース本体２とカバー３の分解斜視図である。
【図３】カバー３の平面図である。
【図４】カバー３の正面図である。
【図５】ねじりコイルバネ７を取り付けたシャッター４の斜め後方からみた斜視図である。
【図６】シャッター４とシャッター４を回動自在に支持するケース本体２を斜め前方からみた要部斜視図である。
【図７】メモリーカード用コネクタ１の要部斜視図である。
【図８】自由状態の板バネ片８がシャッター４と係合する状態を示す要部断面図である。
【図９】適合メモリーカード１０が板バネ片８に当接する状態を示す要部断面図である。
【図１０】適合メモリーカード１０をカード収容部６へ挿入する状態を示す斜視図である。
【図１１】不適合メモリーカード１０’がシャッター４に当接する状態を示す要部断面図である。
【図１２】本願発明の他の実施の形態に係るメモリーカード用コネクタ２０と適合メモリーカード１０を斜め前方の上方からみた斜視図である。
【図１３】メモリーカード用コネクタ２０のカバー２１の平面図である。
【図１４】従来のメモリーカード用コネクタ１００を、カバーを除いて示す平面図である。
【図１５】従来のメモリーカード用コネクタ１００の要部斜視図である。
【図１６】適合メモリーカード１０の底面図である。
【発明を実施するための形態】
【００３４】
以下、本発明の一実施の形態に係るメモリーカード用コネクタ１を図１乃至図１１を用いて説明する。メモリーカード用コネクタ１の各部の説明は、図３の上下方向を前後方向と、左右方向を左右方向と、図４の上下方向を上下方向として説明する。このメモリーカード用コネクタ１のケース３０は、図２に示すように、後方を除く周辺に沿った左右の側壁２Ｌ、２Ｒと前壁２Ｆにより、その内側に凹部が形成されたケース本体２と、ケース本体２の上面に沿って組み立付けられる導電性の金属カバー３とから構成され、金属カバー３がケース本体２の凹部を上方から覆うことにより、その間にケース３０の後面に開口部６ａが開口し、適合メモリーカード１０を収容するカード収容部６が形成される。すなわち、このメモリーカード用コネクタ１に接続するメモリーカードは、図１６に示す適合メモリーカード１０であり、カード収容部６の左右方向の幅と奥行き及び上下方向の高さは、適合メモリーカード１０を遊嵌する大きさとなっている。
【００３５】
ケース本体２は、絶縁性合成樹脂で成形され、ケース本体２の成形の際に前壁２Ｆを挿通して前後方向に多数のコンタクト５がインサート成形で一体に取り付けられている。各コンタクト５の後方の接触部は、カード収容部６内に突出し、カード収容部６に挿入される適合メモリーカード１０の導電パッド１２に接触する。図１６に示すように、各コンタクト５のうち、適合メモリーカード１０の傾斜面１０ａ後方に露出する導電パッド１２ａに接触するコンタクト５ａは、他のコンタクト５よりわずかに後方位置でその接触部がコンタクト収容部６内に臨むように取り付けられている。
【００３６】
ケース本体２の前方の左右の側壁２Ｌ、２Ｒ間には、コンタクト５の接触部の前後で摺動自在の排出板１３が掛け渡され、この排出板１３は、ケース本体２の右枠部内に装着された圧縮バネ１４により後方に付勢されるとともに、その前方の右枠部内に形成されたハートカム溝に先端が係合するリンクが回動自在に連結されることにより、周知のプッシュ−プッシュ型イジェクト機構が構成される。すなわち、カード収容部６の前方へ挿入する適合メモリーカード１０は、排出板１３に当接し、圧縮バネ１４に抗して更に前方へ挿入すると、リンクがハートカム溝のロック位置に係合し、排出板１３はロック位置で位置決めされ、適合メモリーカード１０はコンタクト５に接続した状態で挿入力を解除しても保持される。また、この状態から更に適合メモリーカード１０を押し込むと、リンクがハートカム溝のロック位置から外れ、圧縮バネ１４により付勢され排出板１３によって適合メモリーカード１０がカード収容部６から排出される。
【００３７】
ケース本体２の左右の側壁２Ｌ、２Ｒ間の更に後方のカード収容部６の開口近傍には、シャッター４が回動自在に掛け渡されている。シャッター４は、図５、図６に示すように、カード収容部６を遮断する細長帯状に形成された遮断板４ａと、遮断板４ａの長手方向の両端からわずかに下方に偏倚した位置に一体に連設された断面Ｕ字状の枢軸４ｂ、４ｂと、後述する２枚の板バネ片８の各係合孔８ａに対応して、その下方の遮断板４ａの部位から係合孔８ａに向けて立設された一対の係合板部４ｃ、４ｃとを備えている。
【００３８】
シャッター４の右側の枢軸４ｂは、ねじりコイルバネ７の螺旋状巻回部７ａを挿通し、ねじりコイルバネ７の外側の一端部７ｂは螺旋状巻回部７ａの径方向に沿って直線状に突出し、内側の他端部７ｃは、クランク状に折り曲げられ遮断板４ａの前面に当接している。
【００３９】
シャッター４が掛け渡される左右の側壁２Ｌ、２Ｒには、枢軸４ｂ、４ｂを回動自在に支持する軸受孔９が側壁２Ｌ、２Ｒを貫通して穿設されている。このうち、側壁２Ｒに穿設された軸受孔９には、図６に示すように、ねじりコイルバネ７が取り付けられた枢軸４ｂが挿通されるもので、軸受孔９に螺旋状巻回部７ａと枢軸４ｂが遊挿されるとともに、軸受孔９から側壁２Ｒの上面に連通する細溝９ａに組み立て時にトルクを加えたねじりコイルバネ７の一端部７ｂが位置決め収容される。これにより、シャッター４は、枢軸４ｂ、４ｂ回りで回動自在にケース本体２に支持されるとともに、ねじりコイルバネ７によって、右方向にみて時計回り（以下、この方向を時計回りという）に回転するように付勢される。
【００４０】
また、シャッター４の遮断板４ａの右端は、後方に直角に折り曲げられたストッパー片４ｄとなっていて、ねじりコイルバネ７により時計回りに回転するように付勢されたシャッター４は、側壁２Ｒの軸受孔９近傍で前方に面する内壁面２ａ（図６参照）にストッパー片４ｄが当接し、その回転が規制される。内壁面２ａにストッパー片４ｄが当接したシャッター４は、遮断板４ａが鉛直面に沿って起立し、カード収容部６を遮断するものとなる。この状態で、シャッター４の係合板部４ｃのカード収容部６内底面からの高さは、適合メモリーカード１０の厚さより低い高さｈとなっている。鉛直面に沿って起立する遮断板４ａに、コイルバネ７のトルクに抗して前方に向かって押圧力を加えると、シャッター４は、軸受孔９、９を中心に反時計回りに回転する。従って、カード収容部６の前方へ挿入する適合メモリーカード１０がシャッター４の遮断板４ａに当接すると、遮断板４ａは反時計回りに回転し、遮断板４ａを乗り越えて更にカード収容部６の前方へ挿入可能となる。
【００４１】
金属カバー３は、図２乃至図４に示すように、長方形状の導電性金属板の左右両側を、ケース本体２の左右の側壁２Ｌ、２Ｒを外側から囲うように折り曲げて、ケース本体２の凹部を覆うように取り付けられるもので、その前方の平面が、右方に向かってＵ字状に切り欠かれて形成される誤挿入防止片１５と、後方の開口近くの平面の２カ所の位置が、前方に向かって逆Ｖ字状に切り起こされて形成される２枚の板バネ片８、８とを、一体に備えている。
【００４２】
誤挿入防止片１５は、図３に示すように、金属カバー３平面の中央側を基端１５ａとして右方に向けて一体に片持ち支持され、鉛直方向に見たその後方側辺１５ｂは左右方向と平行で、適合メモリーカード１０の挿入方向に直交している。また、誤挿入防止片１５は、中央付近で斜め下方に折り曲げられ、斜め下方に傾斜する中央から自由端側は、カード収容部６内で、適合メモリーカード１０の傾斜面１０ａがカード収容部６内を移動する移動軌跡を横切るように臨んでいる。これにより、通常の姿勢で挿入される適合メモリーカード１０は、傾斜面１０ａの上端が誤挿入防止片１５の後方側面の下端に当接する。
【００４３】
誤挿入防止片１５が右方に向かって下方に傾斜しているのに対し、適合メモリーカード１０の傾斜面１０ａは、右方に向かって後方に傾斜するので、適合メモリーカード１０の前方への移動にともない、当接位置は誤挿入防止片１５の後方側面に沿って自由端側（右方）に移動する。誤挿入防止片１５に当接する傾斜面１０ａの内底面からの高さは変わらないので、当接位置の高さは変化せず、誤挿入防止片１５はカード収容部６から退避する上方へ押し上げられる。一方、傾斜面１０ａが右前方にない誤った姿勢で挿入される適合メモリーカード１０は、誤挿入防止片１５との当接面が誤挿入防止片１５の後方側面と平行な面であるので、当接位置が変化せず、上方に退避することのない誤挿入防止片１５によりその前方への挿入が規制される。
【００４４】
尚、自由端が斜め下方に折り曲げられた誤挿入防止片１５は、その自由端が最も下方の位置でカード収容部６内に臨むが、ここでは、少なくとも自由端のカード収容部６の内底面からの高さは、シャッター４の係合板部４ｃの高さｈ以下となっている。これにより、シャッター４を回動させて挿入される厚さがｈ以上の適合メモリーカード１０は、その挿入姿勢にかかわらず確実に誤挿入防止片１５に当接し、正しい挿入姿勢の適合メモリーカード１０のみが更に挿入可能となる。
【００４５】
金属カバー３から切り起こされる板バネ片８は、前端部から斜め後方に向かって左右二股に分岐片８ｂ、８ｂが分岐することにより前方に向かって逆Ｖ字状に形成され、その逆Ｖ字状の輪郭に沿った周囲の金属カバー３が、分岐片８ｂ、８ｂの後端を残して切り欠かれ、分岐片８ｂ、８ｂの各後端を基端として前方に片持ち支持される。板バネ片８は、その基端で、前方に向かって斜め下方に折り曲げられ、図８に示すように、折り曲げられることにより最下端となる前端部に、シャッター４の係合板部４ｃが挿通して係合する係合孔８ａが穿設されている。すなわち、シャッター４の係合板部４ｃは、板バネ片８の係合孔８ａの下方となる位置に立設され、基端から前方に向かって斜め下方に折り曲げたられた板バネ片８に外力が加わらない自由状態で、図８に示すように、下方に傾斜する板バネ片８の前端部にある係合孔８ａに係合板部４ｃが挿通するように構成される。
【００４６】
自由状態でカード収容部６の内底面より高さｈのシャッター４の係合板部４ｃが挿通する係合孔８ａの高さは、少なくとも高さｈより低いので、高さｈより厚い適合メモリーカード１０が挿入されると、一枚の板バネ片８の左右斜めに分岐する分岐片８ｂ、８ｂの下面に当接し、その前端部にある係合孔８ａを押し上げる。本実施の形態では、分岐片８ｂ、８ｂの下面が、前後方向の挿入方向に対して左右に傾斜しているので、適合メモリーカード１０をカード収容部６に斜めに挿入しても、その挿入方向に接近する左右いずれかの分岐片８ｂ、８ｂの下面に当接して板バネ片４の全体が上方に応動し、板バネ片８に適合メモリーカード１０が斜めに当接して捻り塑性変形を起こすことがない。
【００４７】
上述の板バネ片８は、図３、図７に示すように、２枚の板バネ片８、８が、金属カバー３の平面の後方に、左右に隔てて形成される。従って、各板バネ片８、８の係合孔８ａの下方の２カ所のシャッター４の部位に、係合板部４ｃが形成される。２枚の板バネ片８、８の左右方向の間隔は、適合メモリーカード１０をカード収容部６に挿入したときに、いずれの板バネ片８、８の係合孔８ａも上方に退避し、対応する係合板部４ｃとの係合が外れる間隔となっている。すなわち、適合メモリーカード１０が当接する一方の板バネ片８の分岐片８ｂと他方の板バネ片８の分岐片８ｂの左右の間隔が、少なくとも適合メモリーカード１０の幅より狭い間隔となる位置に板バネ片８、８が形成される。
【００４８】
次に、このように構成されたメモリーカード用コネクタ１に、適合メモリーカード１０と適合メモリーカード１０と異なる形状の不適合メモリーカード１０を挿入する場合について説明する。カード収容部６にメモリーカードを収容していない待機状態では、ねじりコイルバネ７により時計回りに付勢されたシャッター４は、ストッパー片４ｄがケース本体２の内壁面２ａに当接し、遮断板４ａが鉛直方向に起立した状態で位置決めされているので、起立する遮断板４ａによりカード収容部６の開口付近が覆われ、カード収容部６内への埃の進入が防止されている。また、この待機状態では、各板バネ片８、８にも外力が加わらない自由状態にあり、図８に示すように、各板バネ片８の係合孔８ａに対応する係合板部４ｃが挿通している。
【００４９】
この待機状態のメモリーカード用コネクタ１に、適合メモリーカード１０を傾斜面１０ａが前方右側となった正しい姿勢でカード収容部６へ挿入すると、左右２枚の板バネ片８、８の分岐片８ｂの下面に適合メモリーカード１０の前端が当接する。係合板部４ｃの高さｈより厚い適合メモリーカード１０の前方への挿入により、左右双方の板バネ片８、８の各係合孔８ａが、図９に示すように上方に退避し、係合板部４ｃとの係合が外れる。シャッター４は、２カ所の各係合板部４ｃでの係合が外れるので、枢軸４ｂ回りに回動自在となる。
【００５０】
ここで、適合メモリーカード１０には、前方の右側に傾斜面１０ａが存在するので、右側の板バネ片８の応動が遅れるが、適合メモリーカード１０の傾斜面１０ａの上端に当接して応動するので、図１６に示すように、左側の板バネ片８が当接する前端との距離はＬ１は、側面で応動するＬ２より短く、適合メモリーカード１０の前端がシャッター４に当接する前に、右側の板バネ片８の係合孔８ａと係合板部４ｃとの係合が外れ、シャッター４は回動自在となる。
【００５１】
従って、シャッター４に当接した適合メモリーカード１０は、ねじりコイルバネ７のトルクに抗して遮断板４ａを反時計回りに回動させることにより、更に前方へ挿入可能となり、カード収容部６の内底面まで回転させた遮断板４ａを乗り越えて、前端右側の傾斜面１０ａが誤挿入防止片１５に当接する図１０に示す当接位置まで挿入される。
【００５２】
誤挿入防止片１５は、その後方側面に右方に向かって後方に傾斜する傾斜面１０ａが当接すると、カード収容部６から退避する上方へ押し上げられるので、適合メモリーカード１０は、更に、各導電パッド１２がコンタクト５に接触する接続位置まで挿入される。この状態で、前方への挿入力を解いても、上述のプッシュ−プッシュ型イジェクト機構により、適合メモリーカード１０はその接続位置に保持される。
【００５３】
適合メモリーカード１０をカード収容部６から排出する場合には、接続位置から更に適合メモリーカード１０を押し込むと、圧縮バネ１４により後方へ付勢される排出板１３により適合メモリーカード１０がカード収容部６から排出される。適合メモリーカード１０が排出されることにより、ねじりコイルバネ７により付勢されたシャッター４は、ストッパー片４ｄが内壁面２ａに当接するまで時計回りに回転し、係合板部４ｃは上方に突出し、遮断板４ａが起立する待機状態に復帰する。その後、板バネ片８、８も外力が加わわらない自由状態となるので、その前端部の係合孔８ａが下降して係合板部４ｃと係合し、シャッター４の回転は再びロックされる。
【００５４】
次に、メモリーカード用コネクタ１のカード収容部６には挿入可能な大きさであるが、適合メモリーカード１０より横幅が狭い若しくは厚さが薄い小型の不適合メモリーカード１０’がカード収容部６へ挿入される場合について説明する。メモリーカード用コネクタ１の待機状態では、上述のように、シャッター４の２カ所の係合板部４ｃがそれぞれ左右の板バネ片８、８の係合孔８ａに係合しているので、その枢軸４ｂ回りの回転はロックされている。
【００５５】
係合板部４ｃの高さｈより薄い不適合メモリーカード１０’が挿入される場合には、シャッター４と当接する位置まで挿入しても、図１１に示すように、板バネ片８、８の下面に当接せず、その前端の係合孔８ａを上方へ退避させることができないので、係合板部４ｃとの係合が外れず、遮断板４ａが起立した状態でシャッター４の回転がロックされている。従って、この不適合メモリーカード１０’は、シャッター４を回転させて前方へ挿入することができない。
【００５６】
また、適合メモリーカード１０より横幅が狭い不適合メモリーカード１０’がカード収容部６へ挿入される場合には、不適合メモリーカード１０’の横幅が、左右に隔てて形成される一方の板バネ片８の分岐片８ｂと他方の板バネ片８の分岐片８ｂとの間隔未満であり、いずれか一方の板バネ片８の分岐片８ｂに当接する。その結果、その不適合メモリーカード１０’が分岐片８ｂに当接する側の板バネ片８の係合孔８ａは、シャッター４の係合板部４ｃとの係合が外れるが、他側の板バネ片８の係合孔８ａは、対応する係合板部４ｃとの係合が外れず、シャッター４は回転が規制されるロック状態を維持する。従って、細幅の不適合メモリーカード１０’も、起立する遮断板４ａにより前方への挿入ができない。
【００５７】
また、適合メモリーカード１０であっても、いずれかの分岐片８ｂに直交する方向となる程度まで大きく挿入方向を傾斜させて挿入した場合には、いずれか一方の板バネ片８の分岐片８ｂに当接しない。従って、このように異常な挿入方向で挿入する適合メモリーカード１０も、シャッター４によりその挿入が規制される。
【００５８】
尚、本発明に係るシャッター４と板バネ片８によるロック機構では、厚さと横幅から適合メモリーカード１０の挿入を可能とするので、前後を逆にしたり、表裏を逆にした誤挿入姿勢の適合メモリーカード１０であっても、シャッター４を回動させて前方へ挿入できる。このように、シャッター４を回転させ、誤姿勢で挿入された適合メモリーカード１０は、誤挿入防止片１５が当接する部位に傾斜面１０ａがなく、誤挿入防止片１５を上方へ退避させることができないので、誤挿入防止片１５によって前方への挿入が規制され、各導電パッド１２がコンタクト５に接触する接続位置まで挿入することができない。
【００５９】
上述の第１の実施の形態では、板バネ片８を挿入方向に対して傾斜する二股に分岐し、適合メモリーカード１０が斜めに挿入されても、板バネ片８に過大なねじり応力が発生しないようにしているが、必ずしも二股とする必要はなく、前方に挿入される適合メモリーカード１０によってその係合部（係合孔８ａ）がシャッター４の係合部（係合板部４ｃ）との係合から外れる方向に移動するように前方から後方に向かう傾斜面を有するものであれば、任意の形状とするができる。
【００６０】
また、板バネ片は、左右方向に分岐片を加えて、前方に向かってＶ字状に分岐する分岐片を連続させてもよい。図１２、図１３は、本発明の第２実施の形態に係るメモリーカード用コネクタ２０と、そのカバー２１を示し、図示するように、板バネ片８と同様にカバー２１の左右に分けて配設される板バネ片２２の内、右側の板バネ片２２Ｒに前方に向かってＶ字状に分岐する分岐片２２ｂｒ’を加えている。すなわち、前方に向かって逆Ｖ字状に形成される左右二股の分岐片２２ｂｌ、２２ｂｒの右側の分岐片２２ｂｒを、斜め前方に向かって左右にＶ字状に分岐する二股の左側の分岐片として、その右側にＶ字状となる分岐片２２ｂｒ’を加えて前方に向かって下方に傾斜するように一体に切り起こしている。分岐片２２ｂｒ’の前端にも、逆Ｖ字状の前端に形成される係合孔２２ａと同様に係合孔２２ａ’が形成される。また、シャッター４側には、係合孔２２ａ、２２ａの下方に立設される係合板部４ｃ、４ｃに加えて、係合孔２２ａ’の下方に板バネ片２２Ｒの自由状態で係合孔２２ａ’と係合する係合板部４ｃが立設される。これにより、シャッター４が遮断位置にあるときに、３カ所の位置でシャッター４とカバー２１の板バネ片２２側の係合部が係合し、より強固にシャッター４の回動が規制される。
【００６１】
上述の各実施の形態では、シャッター４側に係合凸部となる係合板部を、板バネ片８、２２側に係合凹部となる係合孔８ａ、２２ａを形成しているが、板バネ片８、２２が自由状態で係合し、板バネ片８、２２の変位により係合が外れる関係にあれば、係合凸部と係合凹部は、いずれに設けてもよい。
【００６２】
更に、上述の実施の形態では、板バネ片８、２２をカバー３、２１側に形成したが、カード収容部６の内底面となるケース本体２側から斜め前方に向かって上方に傾斜するように形成してもよい。この場合に、対向するカード収容部６の内頂面から垂設するシャッター４の係合板部４ｃは、内頂面までの長さを、適合メモリーカード１０の厚さよりわずかに短い長さとする。
【００６３】
また、シャッター４は、ケース本体２に枢支される例で説明したが、カバー２、２１側に枢支されるものであってもよい。
【００６４】
また、シャッター４の遮断位置への復帰に、ねじりコイルバネ７を用いたが、シャッター４を自由状態でカード収容部６を遮断するように吊り下げ支持し、シャッター４の自重で遮断位置に復帰するようにしてもよい。
【産業上の利用可能性】
【００６５】
メモリーカードを携帯電話機などの電子機器へ接続するメモリーカード用コネクタに適している。
【符号の説明】
【００６６】
１      メモリーカード用コネクタ
２      絶縁ケース本体
３      カバー（金属カバー）
４      シャッター
４ｂ    枢軸（シャッターの回動軸）
４ｃ    係合板部（第２係合部）
５      コンタクト片
６      カード収容部
８      板バネ片
８ａ    係合孔（第１係合部）
８ｂ    分岐片
１０    適合メモリーカード
３０    ケース
【図１】
0005198527.tif 000002
【図２】
0005198527.tif 000003
【図３】
0005198527.tif 000004
【図４】
0005198527.tif 000005
【図５】
0005198527.tif 000006
【図６】
0005198527.tif 000007
【図７】
0005198527.tif 000008
【図８】
0005198527.tif 000009
【図９】
0005198527.tif 000010
【図１０】
0005198527.tif 000011
【図１１】
0005198527.tif 000012
【図１２】
0005198527.tif 000013
【図１３】
0005198527.tif 000014
【図１４】
0005198527.tif 000015
【図１５】
0005198527.tif 000016
【図１６】
0005198527.tif 000017